(57)【要約】【課題】テーブルの天板の下面にコンセントユニットを、天板の前後方向及び左右方向の少なくとも一方向に移動可能に設けて、机上の電気機器の位置に対応してそのコードの配線を容易にしたり、コンセントユニットを使用者の近くに配置できるようにする。【解決手段】天板２の下部に、天板の前後方向及び左右方向の少なくとも一方向に案内レール７を設け、該案内レール７にコンセントユニット１４を、案内レール７の長手方向に摺動可能に備える。【選択図】図１
2008119307.tif 000002
【特許請求の範囲】
【請求項１】
天板の下部に、天板の前後方向及び左右方向の少なくとも一方向に案内レールを設け、該案内レールにコンセントユニットを、案内レールの長手方向に摺動可能に備えたことを特徴とするテーブル。
【請求項２】
前記案内レールを、天板の端面より内側へ入った天板の下面側に配置し、前記コンセントユニットを案内レールの下面側に備えたことを特徴とする請求項１記載のテーブル。
【請求項３】
前記コンセントユニットを案内レールに取り外し可能に設けたことを特徴とする請求項１又は２記載のテーブル。
【請求項４】
前記案内レール内に、上壁と下壁とで空洞部を形成し、その下壁の中央部に案内開口部を形成し、該案内開口部に、その両側の下壁の上面に摺動可能に支承されて摺動する支持具を備え、該支持具にコンセントユニットを備えたことを特徴とする請求項１又は２又は３記載のテーブル。
【請求項５】
天板の裏面の中央に、前記コンセントユニットに接続されたコードを集線する集線手段を設け、かつ、集線されたコードのプラグを接続するタップを設けたことを特徴とする請求項１乃至４のいずれか１項に記載のテーブル。
【請求項６】
前記集線手段を可撓性のネット又は膜又はコードリールで構成したことを特徴とする請求項５記載のテーブル。
【請求項７】
前記コンセントユニットを、電源用コンセントユニットおよび／またはＬＡＮ用コンセントユニットで構成したことを特徴とする請求項１乃至６のいずれか１項に記載のテーブル。
【発明の詳細な説明】
【技術分野】
【０００１】
本発明はテーブルに関する。
【背景技術】
【０００２】
従来、事務用テーブルなどにおいて、天板の縁部周辺や支脚の上部にコンセントユニットを埋設し、そのコンセントユニットに接続されたコードをテーブルの内部を通過させて、部屋の壁面や床面に複数設けられた電源コンセントに接続するものが知られている。そして、テーブル上でパソコンなどの電気機器を使用する際には、このテーブルに埋設されたコンセントユニットに電気機器の電源コードを接続することによって、壁面や床面に設けられた電源コンセントに直接電気機器の電源コードを配線することなく、電源を供給できるようになっている（特許文献１参照）。
【特許文献１】特開２００６−１０２１１７号公報
【発明の開示】
【発明が解決しようとする課題】
【０００３】
前記従来のテーブルにおいては、そのコンセントユニットの埋設位置が固定され、その埋設位置を変更することはできず、また、その設置個数を変更させることもできなかった。
【０００４】
そこで本発明は、電源用のコンセントユニットやＬＡＮケーブル用のコンセントユニットを、天板の下部空間を利用して付設するとともに、その付設位置を容易に変更することができるテーブルを提供することを目的とするものである。
【課題を解決するための手段】
【０００５】
前記の課題を解決するために、請求項１記載の発明は、天板の下部に、天板の前後方向及び左右方向の少なくとも一方向に案内レールを設け、該案内レールにコンセントユニットを、案内レールの長手方向に摺動可能に備えたことを特徴とするものである。
【０００６】
請求項２記載の発明は、請求項１記載の発明において、前記案内レールを、天板の端面より内側へ入った天板の下面側に配置し、前記コンセントユニットを案内レールの下面側に備えたことを特徴とするものである。
【０００７】
請求項３記載の発明は、請求項１又は２記載の発明において、前記コンセントユニットを案内レールに取り外し可能に設けたことを特徴とするものである。
【０００８】
請求項４記載の発明は、請求項１又は２又は３記載の発明において、前記案内レール内に、上壁と下壁とで空洞部を形成し、その下壁の中央部に案内開口部を形成し、該案内開口部に、その両側の下壁の上面に摺動可能に支承されて摺動する支持具を備え、該支持具にコンセントユニットを備えたことを特徴とするものである。
【０００９】
請求項５記載の発明は、請求項１乃至４のいずれか１項に記載の発明において、天板の裏面の中央に、前記コンセントユニットに接続されたコードを集線する集線手段を設け、かつ、集線されたコードのプラグを接続するタップを設けたことを特徴とするものである。
【００１０】
請求項６記載の発明は、請求項５記載の発明において、前記集線手段を可撓性のネット又は膜又はコードリールで構成したことを特徴とするものである。
【００１１】
請求項７記載の発明は、請求項１乃至６のいずれか１項に記載の発明において、前記コンセントユニットを、電源用コンセントユニットおよび／またはＬＡＮ用コンセントユニットで構成したことを特徴とするものである。
【発明の効果】
【００１２】
本発明によれば、コンセントユニットを案内レールに沿って移動することにより、コンセントユニットの付設位置を所望の位置に容易に変更することができる。そのため、コンセントユニットを使用者の近くに配置したり、天板上の電気機器の設置場所に応じて、その電気機器に近い位置にコンセントユニットを配置でき、電気機器からのコードを机上において執務に邪魔にならないようにしたり、電気機器のコードがコンセントユニットに届かない不都合が生じないようにすることができる。
【００１３】
請求項２記載の発明によれば、更に、コンセントユニットを天板の下部空間に設けることができるため、天板の下部空間を有効利用でき、電気機器のプラグ及びコードをこの下部空間に収納することができる。
【００１４】
請求項３記載の発明によれば、コンセントユニットが不要な場合には案内レールより外すことができ、また、不足する場合には、コンセントユニットを追加することもできる。
【００１５】
請求項５及び６記載の発明によれば、集線手段にコードを収納することによりコードが垂れ下がることによる不都合を解消できる。
【００１６】
請求項７記載の発明によれば、更に、パソコンのＬＡＮケーブルをネットワークへ接続することができる。
【発明を実施するための最良の形態】
【００１７】
本発明を実施するための最良の形態を図に示す実施例に基づいて説明する。
【実施例１】
【００１８】
図１乃至図８は本発明の実施例１を示す。
図１に示すように、テーブル１の天板２の下面には四隅に位置して支脚３が固設されている。該支脚３は、テーブル１、すなわち天板２の前後方向Ａ−Ｂの側（着席側Ｅから見て前後側）の端面２ａと、左右方向Ｃ−Ｄの側（着席側Ｅから見て左右側）の端面２ｂから内側へ所定量入った位置に設けられている。
【００１９】
また、天板２の前後方向Ａ−Ｂと左右方向Ｃ−Ｄにおける支脚３，３間には、天板２の下面において補強枠６が固定され、該補強枠６には、補強枠６の外面に沿って案内レール７が一体的に形成されている。すなわち、該案内レール７は、天板２の下側における端面２ａ，２ｂより内側へ所定量入った位置において、天板２の端面２ａ，２ｂに平行して配置されている。なお、前記案内レール７は、補強枠６と別体に形成して天板２の下面に固着してもよく、また、補強枠６に固着してもよい。
【００２０】
前記補強枠６と案内レール７はアルミニウム等の金属による射出成型などで形成されている。
【００２１】
また、前記案内レール７は、図６に示すように、横断面形状において、前記補強枠６の内壁６ａと上壁７ａと下壁７ｂ，７ｃと内側壁７ｄとで、体内に空洞部７ｅを有するように形成されている。また、前記内側壁７ｄの外側には外側壁７ｋが天板の裏面に向って、外側に傾斜するように形成されている。
【００２２】
また、案内レール７の前記下壁７ｂと７ｃは、これらの間に案内開口部７ｆが形成されるように相互に離間して配設されており、該案内開口部７ｆが前記空洞部７ｅに連通するとともに、横断面形状において案内開口部７ｆの横幅Ｌ１よりも前記空洞部７ｅの横幅Ｌ２が長く形成されている（図５参照）。
【００２３】
更に、前記内側の下壁７ｂは対向する外側の下壁７ｃより上位に位置している。そして、内側の下壁７ｂの内端部には、玉縁様の内側案内部７ｇが下方に突出するように形成され、外側の下壁７ｃの内端部には、玉縁様の外側案内部７ｈが上方に突出するように形成されている。前記下壁７ｂの上面と前記玉縁様の外側案内部７ｈの上端面は略同一平面状に位置している。
【００２４】
これらの横断面形状が案内レール７の長手方向（支脚３，３間）の全長に亘って形成され、案内溝８を形成している。なお、案内レール７の上壁７ａには取付孔７ｉが貫通形成され、ボルト９を案内開口部７ｆから取付孔７ｉを通じて天板２に螺着することによって、案内レール７及び補強枠６を天板の裏面に固定できるようになっている。
【００２５】
また、前記案内レール７の案内溝８には後述するコンセントユニット１４を保持する支持具１０が備え付けられるようになっている。
【００２６】
該支持具１０は図８に示すように胴部１１と支持部１２と取付部１３によって一体に形成されている。前記支持部１２は、胴部１１の上部、すなわち、該支持具１０の案内レール７への取付側に形成され、胴部１１から前記案内レール７の内側の下壁７ｂへ延びる支持片１２ａと、胴部１１から案内レール７の外側の下壁７ｃへ延びる支持片１２ｂとによって形成され、更に、該支持片１２ｂの端部には、係止部１２ｃが支持片１２ｂの下方へ湾曲するように突出して形成されている。
【００２７】
また、前記取付部１３は、胴部１１の下部、すなわち、コンセントユニット１４の取付側に形成され、胴部１１から前記案内レール７の内側の下壁７ｂ側へ延びる挟持片１３ａと、胴部１１からの案内レール７の外側の下壁７ｃへ延びる挟持片１３ｂによって形成されている。この取付部１３は図５に示すように、胴部１１よりも案内レール７の長手方向に長く設けられ、胴部１１より突出した両端には、コンセントユニット１４を固定するねじ孔１３ｃが上下に貫通して形成されている。
【００２８】
また、前記挟持片１３ａと支持片１２ａ間には、内側の下壁７ｂを挿入する嵌合溝１１ａが形成され、前記挟持片１３ｂと支持片１２ｂ間には、外側の下壁７ｃを挿入する嵌合溝１１ｂが形成されている。
【００２９】
なお、図５に示すように、支持部１２の横幅（Ｌ３）と取付部１３の横幅Ｌ４は、案内開口部７ｆの横幅Ｌ１よりも長く形成され、胴部１１の横幅Ｌ５は、案内開口部７ｆの横幅Ｌ１よりも短く形成されている。また、図８に示すように、前記支持部１２において、胴部１１から延びる支持片１２ｂの横幅Ｌ６は、胴部１１から延びる支持片１２ａの横幅Ｌ７よりも短く形成されている。これらの形状により、支持部１２は図６に示すように傾斜させることで案内開口部７ｆを通過させることができ、図７に示すように支持部１２を嵌合した状態では支持部１２が案内開口部７ｆから脱落することなく支持され、支持具１０を案内溝８に取脱可能に嵌合できるようになっている。
【００３０】
すなわち、支持具１０を案内レール７に取付けるに際しては、まず、図６に示すように、支持具１０を傾斜させながら、支持具１０の嵌合溝１１ａに内側の下壁７ｂの端部を図６に示すように深く挿入して当接させる。そして、内側の下壁７ｂの端部、すなわち、玉縁様の内側案内部７ｇを回転軸として、支持具１０の支持片１２ｂ側を上方に回転させ、支持片１２ｂを案内開口部７ｆに通過させることにより、支持部１２を空洞部７ｅ内に挿入することができる。
【００３１】
なお、内側の下壁７ｂの下部には、該内側の下壁７ｂの端部から下方に突出した玉縁様縁の内側案内部７ｇによって下部空間が形成され、この下部空間に挟持片１３ａの先端が入り込むことで、前記のように支持具１０を傾斜させることができる。
【００３２】
また、前記のように空洞部７ｅ内に支持部１２を挿入し、支持片１２ａを内側下壁７ｂの上面に乗せつつ、支持具１０を案内レール７の外側にスライドさせ、支持片１２ｂの係止部１２ｃを、外側の下壁７ｃの玉縁様の外側案内部７ｈに引っ掛けることにより、嵌合溝１１ｂに外側の下壁７ｃの端部が遊嵌され、支持具１０を案内溝８の長手方向に摺動可能に嵌合することができる。
【００３３】
また、図５に示すように、支持具１０に固定されるコンセントユニット１４は、箱状のケース１４ａで形成され、その横断面における上面形状は、前記補強枠６と案内レール７による横断面の下面形状に略合致するようになっている。また、ケース１４ａの上面には取付板１４ｂが固設されており、該取付板１４ｂの両側部、すなわち、案内レール７の長手方向における両側部は、ケース１４ａの両側面から突出している。その取付板１４ｂには貫通孔１４ｃが形成されている。そして、ボルト（図示せず）を貫通孔１４ｃを通じて、前記支持具１０のねじ孔１３ｃに螺着することによって取付板１４ｂを取付部１３に固着し、コンセントユニット１４を支持具１０に固定している。したがって、コンセントユニット１４は支持具１０を介して案内レール７に摺動可能に支持されている。
【００３４】
また、ケース１４ａの前後には、上方へ突出する当接壁１４ｆ，１４ｇが設けられ、該当接壁１４ｆ，１４ｇは、前記のように支持具１０に取付板１４ｂをボルトで所定量締付けた場合に、この当接壁１４ｆ，１４ｇの上部先端が、内側の下壁７ｂと外側の下壁７ｃの下面にそれぞれ当接し、また、ボルトを緩めることにより当接壁１４ｆ，１４ｇの上部先端が両下壁７ｂ，７ｃの下面より離間するように形成されている。
【００３５】
また、前記の取付動作と逆の動作でコンセントユニット１４及び支持具１０を案内レール７から取り外すことができる。
【００３６】
なお、前記コンセントユニット１４は、プラグ差込口１４ｄ（コンセント）にプラグを差し込むことにより、そのプラグと電気的に接続されるものである。そして、そのプラグ差込口１４ｄがケース１４ａの前側、すなわち、テーブル１の外側の面から突出しないように露出している。なお、このプラグ差込口１４ｄに電気機器のコードのプラグを差込んだ際に、図２に示すように、そのプラグ５０が天板２の端面２ａから突出しないように、図７において、天板２の端面２ａからコンセントユニット１４の前面までの距離Ｌ８が設定されている。すなわち、天板２の下部にプラグが収まる下部空間５が形成されている。
【００３７】
なお、前記支持具１０とコンセントユニット１４とは、案内レール７の長手方向に対して略同長に形成され、これらは図１に示すように、案内レール７の長手方向の長さに対して短く形成され、これらが案内レール７に沿って移動できるようになっている。
【００３８】
前記ケース１４ａの後部、すなわち、ケース１４ａにおけるテーブル１の内側からは、前記プラグ差込口１４ｄ（コンセント）に接続されたコード１５が引き出されている。このコード１５は後述する中継用タップ１７へと配線されている。
【００３９】
前記、天板２の裏面中央部には、図１乃至図３に示すように、集線手段である収集部１６が固設されている。該収集部１６は可撓性を有する方形の外枠１６ａと、該外枠１６ａの内側に架設した可撓性を有するネット１６ｂで形成されており、このネット１６ｂの中央部にケーブル挿通穴１６ｃが空けられている。この収集部１６における外枠１６ａの４隅は固着手段１６ｅで天板２に固着されており、この各外枠１６ａは、その固着手段１６ｅ，１６ｅ間を下方に引っ張ると、その可撓性を有する外枠１６ａが下方へ撓み、外枠１６ａと天板２の裏面との間に図３に示すように開口部１６ｄを形成することができるようになっている。これにより、この開口部１６ｄから収集部１６の上面と天板２の裏面間に形成された収納空間の内部に前記のコード１５や中継用タップ１７等の物を挿入することができるようになっている。なお、前記開口部１６ｄは外枠１６ａの４辺全てにおいて形成できるようになっている。
【００４０】
また、収集部１６の内部、すなわち、天板２の裏面と収集部１６との間に形成された収納空間には、複数の差込口を備えた中継用タップ１７が収納されている。この中継用タップ１７に接続されている中継コード１８は、前記ネット１６ｂの中央のケーブル挿通穴１６ｃから床に向って導かれ、その先に設けたプラグ１８ａを部屋の床面や壁面に設けられた電源コンセントに接続するようになっている。
【００４１】
したがって、各コンセントユニット１４から導かれるコード１５を、収集部１６の開口部１６ｄから収集部１６内に挿入し、そのプラグ１５ａを、収集部１６に収納された中継用タップ１７に接続することにより、各コンセントユニット１４に電源コンセントからの電気が供給されるようになっている。
【００４２】
なお、前記収納部１６を構成するネット１６ｂの代りに、可撓性を有する膜等を使用して集線手段を構成してもよい。
【００４３】
以上のことから、テーブル１の天板２上で使用する電気機器の電源ケーブルのプラグを、前記コンセントユニット１４のプラグ差込口１４ｄに接続することで、使用者の手元から手軽に電源を供給することができるとともに、電気機器の電源ケーブルを部屋の壁面や床面の電源コンセントに直接接続することによって生じる不都合、例えば、この電源ケーブルに足を引っ掛けるなどの虞もない。
【００４４】
また、コンセントユニット１４に差込んだプラグ５０は、天板２の下部空間５内に収まり、天板２の端面２ａ，２ｂより突出することがないことから、テーブル１の近辺を人が通過する際に、プラグ及びコードが人に当たることを防止できる。
【００４５】
また、コンセントユニット１４を支持している支持具１０が、案内レール７に摺動可能に備えられていることから、使用者が手でコンセントユニット１４を案内レール７に沿って押し移動することにより、このコンセントユニット１４の付設位置を、テーブル１の前後方向Ａ−Ｂと左右方向Ｃ−Ｄにおける脚３，３間の所望の位置に容易に変更することができる。そのため、コンセントユニット１４を使用者の側近に配置したり、電気機器の電源ケーブルやＬＡＮケーブルを電気機器より最短距離に配線したりすることができる。更に、会議などにおいて複数の使用者毎に電気機器を使用するときは、天板２における他の側面のコンセントユニット１４を、その側面において使用者の最短距離までスライドさせることで、そのコンセントユニット１４からも電源を供給することもできる。
【００４６】
なお、前記のようにコンセントユニット１４を移動させると、天板２の下部中央に置かれた中継用タップ１７からコンセントユニット１４までの距離が変化し、コード１５が弛んだり、引っ張られたりする。そのため、コード１５が弛んだ場合は、その弛んだコード１５を収集部１６に収納し、引っ張られた場合は収集部１６からコード１５を引き出して、コンセントユニット１４から収集部１６までのコード１５の長さを調整し、天板２の下部においてコード１５が弛まないようにすることができる。これにより、テーブル１の天板２の下部において、使用者の足にコード１５が引っ掛ったり、美観を損ねることを防止することができる。
【００４７】
更に、コンセントユニット１４は、取付け及び取り外し可能なことから、１本の案内レール７に１個又は複数個、必要数付設することもできる。したがって、電気機器を多数使用する場合には、これに対応してコンセントユニット１４を追加し、そのコード１５を中継用タップ１７に接続して、複数の電源を確保することができる。なお、中継用タップ１７の差込口の数は必要に応じて設定すればよく、差込口の数が不足する場合には、他の中継用タップ１７を上記の中継用タップ１７に連結させて接続してもよい。また、コンセントユニット１４が不要な場合には取外してもよい。
【００４８】
なお、前記コンセントユニット１４を移動可能で、かつ、所定の位置に停止させておくようにするために、前記下壁７ｂの内側案内部７ｇと下壁７ｃの外側案内部７ｈを、夫々支持具１０の嵌合溝１１ａと１１ｂに若干の摩擦抵抗を有するようにして嵌合してもよい。
【００４９】
また、前記のように、取付板１４ｂと取付部１３をボルトで締め付けることにより、当接壁１４ｆ，１４ｇが下壁７ｂ，７ｃの下面に当接して、コンセントユニット１４の移動を阻止し、ボルトを緩めることにより、コンセントユニット１４を移動できるようにしてもよい。
【００５０】
また、前記案内レール７は、天板２の左右方向Ｃ−Ｄ又は前後方向Ａ−Ｂのいずれか一方向に設けてもよく、また、前後方向及び左右方向に設けても良く、更に、天板２の４つの端面２ａ，２ａ，２ｂ，２ｂのうちの１の端面又は複数の端面に沿って設けても良い。
【実施例２】
【００５１】
図９は本発明の第２実施例を示す。
本実施例２は前記実施例１のコンセントユニット１４の支持具１０をＸ字状の支持具２０で形成したものである。
【００５２】
本実施例２の支持具２０は、樹脂等の可撓性を有する素材で形成し、該支持具２０は、基部２１と支持片２２，２３によって一体的に形成され、また、該支持具２０は後述するケース１４ａとは別体に形成されている。
【００５３】
図９に示すように、前記基部２１は直方体に形成され、その基部２１の側面における４つの角部には、それぞれ支持片２２，２３が放射線状に突出しており、この４個の支持片２２，２３を上方から見ると、前記案内レール７の長手方向に長い扁平したＸ字状になっている。すなわち、長手方向の一方に一対の支持片２２，２２が形成され、他方に一対の支持片２３，２３が形成されている。更に、各支持片２２，２３の先端には、蒲鉾状の係止部２２ａ，２３ａが設けられ、図９のように、その円弧面が外側に位置するように形成されている。
【００５４】
なお、案内レール７の短手方向に対応する前記２個の支持片２２と２２の間隔及び支持片２３と２３の間隔（詳しくは両係止部２２ａと２２ａの間隔及び２３ａと２３ａの間隔）Ｌ９は、組付け前の状態において、前記案内レール７の横断面形状における空洞部７ｅの横幅、すなわち、補強枠６の内壁６ａと案内レール７の内壁７ｄ間の内のり寸法Ｌ２より若干広い幅に設定されている。更に、支持片２２，２３とケース１４ａの上面との間には所定の空間Ｌ１０が設けられている。
【００５５】
また、前記基部２１の中心には上下に貫通するねじ孔２１ａが空けられており、このねじ孔２１ａとケース１４ａの中央において上下方向に貫通した取付孔（図示せず）とを介して、ボルト（図示せず）により、基部２１をケース１４ａに固定できるようになっている。また、ボルトを外すことにより、支持具２０とケース１４ａを分離できるようになっている。
【００５６】
その他の構造は、前記実施例１と同様であるため、前記と同一部分には前記と同一の符号を付してその説明を省略する。
【００５７】
本実施例２において、コンセントユニット１４を案内レール７に取付ける場合には、先ず、コンセントユニット１４と支持具２０を分離させた状態において、支持具２０を、その一方の一対の支持片２２，２２間と、他方の一対の支持片２３，２３間を手で縮小させて、これらを案内レール７の案内開口部７ｆから空洞部７ｅ内へ挿入し、その後、前記の縮小状態を開放して開き、案内レール７へ設置する。
【００５８】
これにより、各支持片２２，２３の係止部２２ａ，２３ａが案内レール７における内側の下壁７ｂと外側の下壁７ｃの上面に載置される。
【００５９】
次に、前記支持具２０の下側にコンセントユニット１４を配して、図示しないボルトをコンセントユニット１４の前記取付穴（図示せず）に挿通して、支持具２０のねじ孔２１ａに螺合し、コンセントユニット１４を支持具２０の下面に固設する。これにより、コンセントユニット１４は案内レール７に摺動（移動）可能に取付けられる。
【００６０】
また、前記各係止部２２ａ，２３ａの外面が案内レール７の両内壁６ａ，７ｄの内面に若干の摩擦抵抗をもって当接するため、コンセントユニット１４を所望の位置に移動した後、その位置に停止させておくことができる。
【００６１】
また、前記の状態からコンセントユニット１４を案内レール７より取外す場合には、前記の取付け作業と逆の作業で行う。
【００６２】
以上の構成により、本実施例２においても前記実施例１と同様の効果を発揮することができる。
【実施例３】
【００６３】
図１０は本発明の実施例３を示す。
本実施例３は集線手段にコードリールを使用したものである。
【００６４】
本実施例３においては、天板２の裏面に集線手段であるコードリール部３０を固設し、前記のコンセントユニット１４の後部から配線されたコード１５を、コードリール部３０の前部、すなわち、テーブル１の外側に向けて開口した挿入口３０ａから挿入し、コードリール部３０の内部で巻回して、引出し可能に備える。また、前記コードリール部３０内でのコード１５の端は、コードリール３０内でコード１５ａに接続され、そのコード１５ａはコードリール部３０の後部、すなわち、テーブル１の内側に開口した導出口３０ｂから導出している。
【００６５】
この導出口３０ｂから導出されたコード１５ａの先端にはプラグ１５ｃが備えられ、このプラグ１５ｃが天板２の裏面中央に固設された中継用タップ１７に差込むようになっている。この中継用タップ１７には、前記実施例１と同様に中継コード１８が接続され、この中継コード１８の先に設けたプラグを部屋の壁面や床面に設けられた電源コンセントに接続するようになっている。
【００６６】
また、前記コードリール部３０は、公知の構造のものを使用でき、例えばその内部に図示しないバネが備えられ、このバネにより前記コードリール部３０の挿入口３０ａから挿入されたコード１５を、コードリール部３０の内部に引っ張り、その内部で巻回するようになっている。そのため、コンセントユニット１４とコードリール部３０との間のコード１５には、常時軽いテンションがかかるようになっている。その他の構成は前記実施例と同様のため、その説明を省略する。
【００６７】
次に使用状態について説明する。
通常、前記実施例１のようにコンセントユニット１４を案内レール７の長手方向において移動させると、コンセントユニット１４とコードリール部３０との間の距離が変化し、コード１５が弛んだり、引っ張られたりする。本実施例３では、コードリール部３０がバネによってコード１５を内部に巻回するように引っ張っていることによって、コンセントユニット１４とコードリール部３０との間のコード１５に常時軽いテンションを掛けている。そのため、コンセントユニット１４をコードリール部３０に近づけるように移動させてコード１５が弛んだときには、このコードリール部３０がコード１５を引っ張り、内部に巻き取って収納する。逆に、コンセントユニット１４をコードリール部３０から離すように移動させてコード１５が引っ張られるときには、コードリール部３０内に収納されていたコード１５が使用者による小さい力で引出され、コンセントユニット１４の移動を可能にする。
【００６８】
以上のように、本実施例３においては、コンセントユニット１４の移動に伴い、このコンセントユニット１４とコードリール３０との間のコード１５の長さが自動的に調整され、使用者が収納作業を行うことなく、天板２の下部においてコード１５を収納できる。
【００６９】
また、コンセントユニット１４の数を増加するときには、コードリール部３０も対応して増加すればよい。
【００７０】
以上のようであるから、本実施例３においても、前記実施例１と同様の効果を発揮できる。
【００７１】
なお、前記各実施例においては、コンセントユニット１４を電源用のコンセントユニットとしたが、これをＬＡＮ用コンセントユニットに適用してもよい。この場合、収集部にはハブを設けて、ＬＡＮ用のコンセントユニットからハブにＬＡＮケーブルを前記実施例の手段を用いて配線し、ハブから社内ＬＡＮ等に繋げてネットワークへ接続するようにしてもよい。
【図面の簡単な説明】
【００７２】
【図１】本発明の実施例１を示すもので、テーブルの下側から見た斜視図。
【図２】図１における下側から見た略図でネット部の一部を破断している。
【図３】図１の正面図。
【図４】図１における要部の斜視図。
【図５】図１における案内レールと支持具とコンセントユニットを分離した斜視図。
【図６】図１の実施例において、支持具を案内レールへ取付ける状態の説明図。
【図７】図６の状態から支持具とコンセントユニットを取付けた状態を示す横断面図。
【図８】図１における支持具の側面図。
【図９】本発明の実施例２を示すもので、案内レールと支持具を分離した斜視図。
【図１０】本発明の実施例３を示すもので、テーブルの下側から見た略図。
【符号の説明】
【００７３】
１    テーブル
２    天板
７    案内レール
７ａ  上壁
７ｂ，７ｃ  下壁
８    空洞部
１０  支持具
１４  コンセントユニット
１５  コード
１６，３０  集線手段
１７  タップ
【図１】
2008119307.tif 000003
【図２】
2008119307.tif 000004
【図３】
2008119307.tif 000005
【図４】
2008119307.tif 000006
【図５】
2008119307.tif 000007
【図６】
2008119307.tif 000008
【図７】
2008119307.tif 000009
【図８】
2008119307.tif 000010
【図９】
2008119307.tif 000011
【図１０】
2008119307.tif 000012